(57)【要約】【課題】  排気システムにおいて、排気中の臭い及び微細塵を十分に除去でき、しかも、簡単な設備で当該効果を発揮できる、脱臭・脱塵装置、を提供すること。【解決手段】  洗濯後のモップを乾燥する乾燥機２からの排気を、集塵室３を通し、更に、下から上に延びたダクト４を通して、外部へ放出する、排気システム１において、排気の脱臭・脱塵を行う、脱臭・脱塵装置５であって、ダクト内に設けられ、下から上昇してくる排気に対して上方から水を散布する、シャワー機構６と、ダクトの下部に設けられ、散布された水を排出する、ドレン機構７と、を備えていることを特徴としている。【選択図】図１
2005342590.tif 000002
【特許請求の範囲】
【請求項１】
洗濯後の清掃具を乾燥する乾燥機からの排気を、集塵室を通し、更に、下から上に延びたダクトを通して、外部へ放出する、排気システムにおいて、排気の脱臭・脱塵を行う、脱臭・脱塵装置であって、
ダクト内に設けられ、下から上昇してくる排気に対して上方から水を散布する、シャワー機構と、
ダクトの下部に設けられ、散布された水を排出する、ドレン機構と、を備えていることを特徴とする脱臭・脱塵装置。
【請求項２】
散布される水が、脱臭作用を有する薬剤を含有している、請求項１記載の脱臭・脱塵装置。
【請求項３】
ドレン機構が、排出する水をシャワー機構に戻すようになっている、請求項１記載の脱臭・脱塵装置。
【発明の詳細な説明】
【技術分野】
【０００１】
本発明は、洗濯後の清掃具を乾燥する乾燥機からの排気を、集塵室を通し、更に、下から上に延びたダクトを通して、外部へ放出する、排気システムにおいて、排気の脱臭・脱塵を行う、脱臭・脱塵装置、に関するものである。ここで、「脱塵」とは、排気中に含まれている微細なリント（綿埃）や粉塵を除去することである。
【背景技術】
【０００２】
モップやマットなどの清掃具をレンタル使用する場合には、清掃具を洗濯して乾燥させる工程が必要となる。その乾燥工程においては、乾燥機から排気が放出される。図７は一般の排気システムを示す略断面図である。この排気システム１は、図中の矢印で示すように、洗濯後の清掃具を乾燥する乾燥機２からの排気を、集塵室３を通し、更に、下から上に延びたダクト４を通して、外部へ放出するようになっている。
【０００３】
しかしながら、このような排気システム１においては、排気中の比較的大きなリントを集塵室３で殆ど除去できたとしても、排気中の臭い及び微細なリントや粉塵（以下、微細塵と称する）までは十分に除去できず、そのような排気がそのまま放出されるため、近隣住民に対する環境配慮が必要となっていた。
【０００４】
そこで、このような排気中の臭い及び微細塵を除去するための対策が、例えば特許文献１に示すように、種々行われている。
【特許文献１】特開平９−１９２４４６号公報
【発明の開示】
【発明が解決しようとする課題】
【０００５】
しかしながら、従来の対策では、必ずしも満足できる効果を得ることができず、しかも、対策のための設備が大掛かりとなってコスト高となる、という問題があった。
【０００６】
本発明は、排気システムにおいて、排気中の臭い及び微細塵を十分に除去でき、しかも、簡単な設備で当該効果を発揮できる、脱臭・脱塵装置、を提供することを目的とする。
【課題を解決するための手段】
【０００７】
請求項１記載の発明は、洗濯後の清掃具を乾燥する乾燥機からの排気を、集塵室を通し、更に、下から上に延びたダクトを通して、外部へ放出する、排気システムにおいて、排気の脱臭・脱塵を行う、脱臭・脱塵装置であって、ダクト内に設けられ、下から上昇してくる排気に対して上方から水を散布する、シャワー機構と、ダクトの下部に設けられ、散布された水を排出する、ドレン機構と、を備えていることを特徴としている。
【０００８】
請求項２記載の発明は、請求項１記載の発明において、散布される水が、脱臭作用を有する薬剤を含有しているものである。
【０００９】
請求項３記載の発明は、請求項１記載の発明において、ドレン機構が、排出する水をシャワー機構に戻すようになっているものである。
【発明の効果】
【００１０】
請求項１記載の発明によれば、シャワー機構によって散布する水により、排気中の臭い物質及び微細塵を洗い流すことができるので、排気の脱臭・脱塵を行うことができる。
【００１１】
しかも、散布する水によって排気を冷却できるので、排気口において排気による陽炎が発生するのを防止できる。
【００１２】
請求項２記載の発明によれば、排気中の臭い物質を、水によって洗い流すだけでなく、薬剤によっても失効させることができるので、排気の脱臭をより効果的に行うことができる。
【００１３】
請求項３記載の発明によれば、散布する水を循環利用できるので、脱臭・脱塵に要する水の消費量を低減できる。
【発明を実施するための最良の形態】
【００１４】
（実施形態１）
図１は本発明の脱臭・脱塵装置を備えた排気システムの略断面図である。この排気システム１は、洗濯後の清掃具を乾燥する乾燥機２からの排気を、集塵室３を通し、更に、下から上に延びたダクト４を通して、外部へ放出するようになっている。ダクト４は、横方向に延びた基部４１と、基部４１の先端から縦方向上向きに延びた本体部４２と、本体部４２の頂部から横方向に僅かに延びた出口部４３と、からなっている。出口部４３は、排気口４３１にて外部へ開放されている。排気口４３１には、ネット４３２が嵌め込まれている。そして、排気システム１は、脱臭・脱塵装置５を備えている。脱臭・脱塵装置５は、シャワー機構６とドレン機構７とを備えている。
【００１５】
シャワー機構６は、貯水タンク６１の水をポンプ６２によってノズル６３へ供給してノズル６３から散布するようになっている。ノズル６３は、本体部４２内の上部の中央に、散布口を下に向けて、設けられている。ノズル６３には、ポンプ６２からの送水管６４が接続されている。ポンプ６２には、貯水タンク６１内から延びた吸水管６５と返水管６６が接続されている。
【００１６】
なお、ノズル６３は、図２に示すように、ダクト４の本体部４２の壁４２１に開口４２２を設け、そこから、送水管６４と共にダクト４内に挿入し、開口４２２を塞ぐようにフランジ部６３１を固定することにより、ダクト４に取り付けられている。
【００１７】
ドレン機構７は、本体部４２の底部に設けられた受部７１と、受部７１に接続されている排水管７２と、で構成されている。受部７１は、浅い皿状に構成されている。排水管７２は、バルブ７３にて２つに分岐しており、一方の供給管７４の先端は貯水タンク６１内に位置しており、他方の排出管７５は外部へ開放されている。
【００１８】
なお、受部７１は、図２に示すように、ダクト４の本体部４２の底部に開口４２３を設け、開口４２３を塞ぐように固定することにより、ダクト４に取り付けられている。
【００１９】
排気システム１においては、矢印に示すように、乾燥機２の排気が、集塵室３を通った後、ダクト４に入り、ダクト４内を上昇していき、排気口４３１から外部へ放出される。そして、その際、排気中の比較的大きなリントは、集塵室３において殆ど除去される。
【００２０】
そして、排気システム１は、上記構成の脱臭・脱塵装置５を作動させることにより、排気中の臭い及び微細塵（微細なリントや粉塵）も除去できる。即ち、脱臭・脱塵装置５を作動させると、ノズル６３から水が下方に向けてシャワーのように散布されるので、ダクト４内を上昇する排気中の臭い物質及び微細塵が水滴に取り込まれて落下し、その水滴は受部７１に一時的に溜まりながら排水管７２を通ってダクト４内から排出される。従って、ノズル６３から散布される水によって、排気中の臭い物質及び微細塵が、洗い流されるので、ダクト４内を上昇する排気の脱臭・脱塵が行われ、排気口４３１から外部へ放出される排気は、臭い及び微細塵が殆ど無いものとなる。
【００２１】
従って、上記構成の脱臭・脱塵装置５を備えた排気システム１によれば、排気の脱臭・脱塵を行って、臭い及び微細塵が殆ど無い排気を外部へ放出することができる。
【００２２】
しかも、上記構成の脱臭・脱塵装置５は、ダクト４に対してノズル６３及び受部７１を取り付けるだけ設けることができるので、簡単な設備で脱臭・脱塵効果を発揮できる。
【００２３】
更に、上記構成の脱臭・脱塵装置５を備えた排気システム１によれば、散布する水によって排気を冷却できるので、排気口４３１において排気による陽炎が発生するのを防止できる。
【００２４】
（実施形態２）
実施形態１において、散布する水に、脱臭作用を有する薬剤を含有させてもよい。その薬剤は、送水管６４の途中から、又は、吸水管６５の途中から、管内の水に添加してもよく、或いは、貯水タンク６１内の水に添加してもよい。
【００２５】
これによれば、排気中の臭い物質を水により洗い流すことによって脱臭するだけでなく、排気中の臭い物質を薬剤に触れさせることによって失効させることによっても脱臭するので、排気の脱臭をより効果的に行うことができる。
【００２６】
（実施形態３）
上記実施形態において、バルブ７３を切り替えることにより、排水管７２を通る水を、貯水タンク６１へ供給するようにしてもよい。
【００２７】
これによれば、水が、貯水タンク６１から、ノズル６３及び受部７１を経て、貯水タンク６１へ戻る、というように、循環するので、脱臭・脱塵のための水の消費量を低減できる。
【００２８】
（実施形態４）
上記実施形態において、図３に示すように、ダクト４の本体部４２内において、ノズル６３の上方に、庇部６６を設けてもよい。庇部６６は、本体部４２内を平面視で塞ぐように、複数枚を互い違いに配置するのが好ましい。
【００２９】
これによれば、ノズル６３から散布された水の内の、排気によって巻き上げられた水滴が、庇部６６に衝突して液滴となってダクト４内を落下するので、臭い物質及び微細塵を取り込んだ水滴が排気口４３１から放出されるのを防止できる。臭い物質及び微細塵を取り込んだ水滴が排気口４３１から放出されると、水滴の水が蒸発することによって臭い物質及び微細塵が解放されるので、臭い及び微細塵が外部に漏れるのと同じこととなる。しかるに、本実施形態によれば、それを防止できるので、排気の脱臭・脱塵をより効果的に行うことができる。
【００３０】
しかも、ノズル６３から散布される水が脱臭作用を有する薬剤を含有している場合には、巻き上げられる薬剤も、庇部６６に衝突して液滴となってダクト４内を落下するので、薬剤が排気口４３１から放出されるのを防止できる。即ち、薬剤に基づく臭いが外部に放出されるのを防止できる。
【００３１】
（実施形態５）
図４又は図５は、ダクト４の本体部４２の底部が曲面部４２５で構成されている場合の脱臭・脱塵装置５を示す略断面図である。図４の場合には、ドレン機構７の受部７１は、ダクト４の基部４１の下面に設けられている。図５の場合には、ドレン機構７の受部７１は、ダクト４の基部４１から集塵室３内に張り出すように設けられている。図６は図５の平面図である。図６において、受部７１は、３つのダクト４に対して共通に設けられており、排水管７２は、受部７１の端部に接続されている。
【００３２】
これらによっても、上記実施形態と同様の作用効果が得られる。
【００３３】
（実施例１〜４及び比較例１、２）
表１に示すように、洗濯後の清掃具として、吸着剤加工されており、同じものであり且つ同量の、家庭用モップ又は業務用モップを用い、それを乾燥機２で乾燥させた。その際、乾燥機２の出口温度がそれぞれ表の値となるように乾燥温度を設定した。なお、「吸着剤」とは、ダスト捕集保持用油剤である。
【００３４】
そして、実施例１〜４では、脱臭・脱塵装置５を作動させて、ノズル６３から水を散布した。水の散布量は３０ｍｌ／分とした。更に、実施例３、４では、散布する水に、脱臭作用を有する薬剤を含有させた。薬剤含有量は０．１３重量％とした。薬剤としては、商品名「エアーケム１９１」（第１クリーン化学株式会社製）を用いた。なお、比較例１、２では、脱臭・脱塵装置５を作動させなかった。
【００３５】
そして、排気口４３１から放出される排気の臭気を、３点比較式臭袋法により、測定した。その結果を表１に示す。
【００３６】
【表１】
2005342590.tif 000003
また、実施例１及び比較例１においては、微細塵の量と排気温度も測定した。微細塵量は、ＪＩＳ Ｚ ８８０８法により測定した。その結果を表２に示す。
【００３７】
【表２】
2005342590.tif 000004
【００３８】
（実施例５〜８及び比較例３、４）
実施例１〜４及び比較例１、２の場合と同様に行った。但し、それぞれの実施条件は表３に示すように設定した。
【００３９】
【表３】
2005342590.tif 000005
【００４０】
表１及び表３から明らかなように、実施例１〜８によれば、比較例１〜４に比して、臭気が確実に低減されている。従って、本発明の実施形態１によって排気の脱臭を行うことができることが明らかである。
【００４１】
また、実施例３、４、７、８によれば、実施例１、２、５、６に比して、臭気が更に低減されている。従って、本発明の実施形態２によって排気の脱臭をより効果的に行うことができることが明らかである。
【００４２】
更に、表２から明らかなように、実施例１によれば、微細塵の除去、即ち脱塵、を効果的に行うことができるとともに、排気の温度を低下させることもできる。
【産業上の利用可能性】
【００４３】
本発明の脱臭・脱塵装置は、洗濯後の清掃具を乾燥する乾燥機からの排気を効果的に脱臭・脱塵できるので、悪臭・粉塵公害を有効に防止でき、産業上の利用価値が大である。
【図面の簡単な説明】
【００４４】
【図１】本発明の実施形態１の脱臭・脱塵装置を備えた排気システムの略断面図である。
【図２】図１の脱臭・脱塵装置の取付工程を示す略断面図である。
【図３】本発明の実施形態４の脱臭・脱塵装置を備えた排気システムの略断面部分図である。
【図４】本発明の実施形態５の一例の脱臭・脱塵装置を備えた排気システムの略断面部分図である。
【図５】本発明の実施形態５の別の例の脱臭・脱塵装置を備えた排気システムの略断面部分図である。
【図６】図５の平面図である。
【図７】従来一般の排気システムの略断面図である。
【符号の説明】
【００４５】
１  排気システム  ２  乾燥機  ３  集塵室  ４  ダクト  ５  脱臭・脱塵装置  ６  シャワー機構  ７  ドレン機構
【図１】
2005342590.tif 000006
【図２】
2005342590.tif 000007
【図３】
2005342590.tif 000008
【図４】
2005342590.tif 000009
【図５】
2005342590.tif 000010
【図６】
2005342590.tif 000011
【図７】
2005342590.tif 000012